(57)【要約】【課題】デザインを目安にして、着用者の身体における適切な位置に装着する。【解決手段】本発明に係る使い捨ておむつ１０では、股下域２５を跨ぎ前胴回り域２０及び後胴回り域３０に延びる領域に、使い捨ておむつ１０の非肌当接面側Ｓから視認可能なデザイン３００ａ、３００ｂが設けられており、クロッチ伸縮部２００ａよりも前胴回り域２０側の領域に設けられているデザイン３００ｂの配置方法及びクロッチ伸縮部２００ａよりも後胴回り域３０側の領域に設けられているデザイン３００ａの配置方法が異なるように構成されている。【選択図】図３
2014068936.tif 000002
【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記股下域において前記吸収体が配置されている領域内に形成され、伸縮可能なクロッチ伸縮部を備え、
前記股下域を跨ぎ前記前胴回り域及び前記後胴回り域に延びる領域に、前記使い捨ておむつの非肌当接面側から視認可能なデザインが設けられており、
前記クロッチ伸縮部よりも前記前胴回り域側の領域に設けられている前記デザインの配置方法及び前記クロッチ伸縮部よりも前記後胴回り域側の領域に設けられている前記デザインの配置方法が異なるように構成されていることを特徴とする使い捨ておむつ。
【請求項２】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記股下域において前記吸収体が配置されている領域内に形成され、伸縮可能なクロッチ伸縮部とを備え、
前記股下域を跨ぎ前記前胴回り域及び前記後胴回り域に延びる領域に、前記使い捨ておむつの非肌当接面側から視認可能なデザインが設けられており、
前記股下域に配置されている前記吸収体の前記製品幅方向における長さは、前記前胴回り域及び前記後胴回り域に配置されている前記吸収体の前記製品幅方向における長さよりも短くなるように構成されており、
前記デザインは、前記製品長手方向に延びている一対のラインであり、
前記一対のライン同士の間隔は、前記クロッチ伸縮部において最も狭くなるように構成されていることを特徴とする使い捨ておむつ。
【請求項３】
前記吸収体の前記非肌当接面側に、外装シートが備えられており、
前記外装シートと前記吸収体との間に、前記股下域を跨ぎ前記前胴回り域及び前記後胴回り域に延びるシートが備えられており、
前記シートは、前記吸収体の製品長手方向における端部及び前記吸収体の製品幅方向における端部を越え、かつ、前記使い捨ておむつの製品長手方向における端部及び前記使い捨ておむつの製品幅方向における端部に到達しないように配置されており、
前記デザインは、前記シートの製品長手方向の端部及び前記シートの製品幅方向の端部よりも内側の領域に配置されており、
前記シートの製品長手方向における端部近傍及び前記シートの製品幅方向における端部近傍には、前記シートが配置されていないことを特徴とする請求項１又は２に記載の使い捨ておむつ。
【請求項４】
前記クロッチ伸縮部を跨ぎ前記製品長手方向に沿って延びる仮想領域内の前記前胴回り域及び前記後胴回り域において、前記デザインのうち主要図柄が配置されるように構成されていることを特徴とする請求項１に記載の使い捨ておむつ。
【請求項５】
前記クロッチ伸縮部は、前記製品長手方向に伸縮可能なように構成されていることを特徴とする請求項１乃至４のいずれか一項に記載の使い捨ておむつ。
【請求項６】
前記後胴回り域に形成され、前記製品幅方向に伸縮可能なウェスト伸縮部を更に備え、
前記吸収体は、前記後胴回り域において、前記吸収体の他の部位よりも目付けが低い又は吸収性コアが存在しない低剛性領域を有し、
前記ウェスト伸縮部は、前記使い捨ておむつの平面視において、前記低剛性領域の少なくとも一部と重なるように構成されており、
前記製品幅方向における前記低剛性領域の幅は、前記吸収体の前記製品長手方向における前記後胴回り域側の端部に向かうに連れて広くなるように構成されていることを特徴とする請求項１乃至５のいずれか一項に記載の使い捨ておむつ。
【請求項７】
前記クロッチ伸縮部の前記製品長手方向における収縮量は、前記使い捨ておむつの前記製品長手方向における長さの２〜８％となるように構成されていることを特徴とする請求項１乃至６のいずれか一項に記載の使い捨ておむつ。
【請求項８】
前記後胴回り部の前記製品長手方向における長さと前記前胴回り部の前記製品長手方向における長さとの比率は、１.１以上１.６以下であることを特徴とする請求項１乃至７のいずれか一項に記載の使い捨ておむつ。
【請求項９】
前記製品長手方向における前記クロッチ伸縮部の中央位置における前記製品幅方向の長さは、前記製品長手方向における前記クロッチ伸縮部の端部における前記製品幅方向の長さよりも短くなるように構成されていることを特徴とする請求項１乃至８のいずれか一項に記載の使い捨ておむつ。
【発明の詳細な説明】
【技術分野】
【０００１】
本発明は、使い捨ておむつに関する。
【背景技術】
【０００２】
従来、前胴回り域と、後胴回り域と、前胴回り域と後胴回り域との間に位置する股下域とを有し、一対の脚回り開口部が形成されると共に、股下域を跨ぎ前胴回り域及び後胴回り域に向かって延びる吸収体を備えた使い捨ておむつが知られている。
【０００３】
ここで、特許文献１には、このような使い捨ておむつにおいて、着用補助者による着用者に対する使い捨ておむつの装着を助けるためのデザインを設ける技術が記載されている。
【先行技術文献】
【特許文献】
【０００４】
【特許文献１】特許第４２２３４０５号
【発明の概要】
【発明が解決しようとする課題】
【０００５】
しかしながら、特許文献１に記載の使い捨ておむつに設けられているデザインは、かかる使い捨ておむつの機能及び着用者の身体における適切な装着位置を考慮して設けられたものではないため、着用補助者が、かかるデザインを目安にして、特許文献１に記載の使い捨ておむつを着用者に装着させようとしても、着用者の身体における適切な位置に、かかる使い捨ておむつを装着することができないという問題点があった。
【０００６】
すなわち、かかる使い捨ておむつに設けられているデザインと着用者の身体における適切な装着位置とが一致しておらず、却って、使い捨ておむつが正しく装着されていない印象を与えてしまうという問題点があった。
【０００７】
そこで、本発明は、このような状況に鑑みてなされたものであり、デザインを目安にして、着用者の身体における適切な位置に装着することができる使い捨ておむつの提供を目的とする。
【課題を解決するための手段】
【０００８】
本発明の第１の特徴は、前胴回り域と、後胴回り域と、前記前胴回り域と前記後胴回り域との間に位置する股下域と有し、一対の脚回り開口部が形成されると共に、前記股下域を跨ぎ前記前胴回り域及び前記後胴回り域に向かって延びる吸収体を備え、前記前胴回り域から前記後胴回り域に向かう製品長手方向と、前記製品長手方向と直交する製品幅方向とを有する使い捨ておむつであって、前記股下域に形成され、伸縮可能なクロッチ伸縮部を備え、前記股下域を跨ぎ前記前胴回り域及び前記後胴回り域に延びる領域に、前記使い捨ておむつの非肌当接面側から視認可能なデザインが設けられており、前記クロッチ伸縮部よりも前記前胴回り域側の領域に設けられている前記デザインの配置方法及び前記クロッチ伸縮部よりも前記後胴回り域側の領域に設けられている前記デザインの配置方法が異なるように構成されていることを要旨とする。
【０００９】
本発明の第２の特徴は、前胴回り域と、後胴回り域と、前記前胴回り域と前記後胴回り域との間に位置する股下域と有し、一対の脚回り開口部が形成されると共に、前記股下域を跨ぎ前記前胴回り域及び前記後胴回り域に向かって延びる吸収体を備え、前記前胴回り域から前記後胴回り域に向かう製品長手方向と、前記製品長手方向と直交する製品幅方向とを有する使い捨ておむつであって、前記股下域において前記吸収体が配置されている領域内に形成され、伸縮可能なクロッチ伸縮部とを備え、前記股下域を跨ぎ前記前胴回り域及び前記後胴回り域に延びる領域に、前記使い捨ておむつの非肌当接面側から視認可能なデザインが設けられており、前記股下域に配置されている前記吸収体の前記製品幅方向における長さは、前記前胴回り域及び前記後胴回り域に配置されている前記吸収体の前記製品幅方向における長さよりも短くなるように構成されており、前記デザインは、前記製品長手方向に延びている一対のラインであり、前記一対のライン同士の間隔は、前記クロッチ伸縮部において最も狭くなるように構成されていることを要旨とする。
【発明の効果】
【００１０】
本発明の特徴によれば、デザインを目安にして、着用者の身体における適切な位置に装着することができる使い捨ておむつを提供することができる。
【図面の簡単な説明】
【００１１】
【図１】本発明の第１の実施形態に係る使い捨ておむつの展開平面図である。
【図２】図１に示すＦ１-Ｆ１線に沿った本実施形態に係る使い捨ておむつの断面図である。
【図３】図１に示すＦ２-Ｆ２線に沿った本実施形態に係る使い捨ておむつの断面図である。
【図４】本発明の第１の実施形態に係る使い捨ておむつにおいて設けられているデザインについて説明するための図である。
【図５】本発明の第１の実施形態に係る使い捨ておむつが着用者に装着される様子を示す図である。
【図６】本発明の第２の実施形態に係る使い捨ておむつにおいて設けられているデザインについて説明するための図である。
【図７】本発明の第３の実施形態に係る使い捨ておむつにおいて設けられているデザインについて説明するための図である。
【発明を実施するための形態】
【００１２】
（本発明の第１の実施形態）
図１乃至図５を参照して、本発明の第１の実施形態に係る使い捨ておむつ１０について説明する。
【００１３】
なお、以下の図面の記載において、同一又は類似の部分には、同一又は類似の符号を付している。ただし、図面は模式的なものであり、各寸法の比率等は現実のものとは異なることに留意すべきである。
【００１４】
したがって、具体的な寸法等は、以下の説明を参酌して判断すべきである。また、図面相互間においても互いの寸法の関係や比率が異なる部分が含まれ得る。
【００１５】
なお、本実施形態では、テープ型の使い捨ておむつ１０を例に挙げて説明を行うが、本発明は、パンツ型の使い捨ておむつ１０にも適用可能である。
【００１６】
図１は、本実施形態に係る使い捨ておむつ１０の展開平面図であり、図２は、図１に示したＦ１-Ｆ１線に沿った本実施形態に係る使い捨ておむつ１０の断面図であり、図３は、図１に示したＦ２-Ｆ２線に沿った本実施形態に係る使い捨ておむつ１０の断面図であり、図４は、本実施形態に係る使い捨ておむつ１０に設けられているデザインについて示す図であり、図５は、本実施形態に係る使い捨ておむつ１０が着用者に装着されている状態を示す図である。
【００１７】
図１に示す展開平面図は、使い捨ておむつ１０を構成するトップシート５０やサイドフラップ７０等の皺が形成されない状態まで、レッグ伸縮部７５及びレッグサイドギャザー８０の弾性部材７１を伸長させた状態の図である。
【００１８】
図１に示すように、本実施形態に係る使い捨ておむつ１０は、前胴回り域２０と、股下域２５と、後胴回り域３０とを有する。
【００１９】
ここで、前胴回り域２０は、着用者の前胴回り部（腹部分）と接する部分であり、後胴回り域３０は、着用者の後胴回り部（背部分）と接する部分であり、股下域２５は、前胴回り域２０と後胴回り域３０との間に位置する部分である。
【００２０】
なお、本実施形態では、前胴回り域２０から後胴回り域３０に向かう方向を製品長手方向Ｌと呼び、製品長手方向Ｌと直交する方向を製品幅方向Ｗと呼ぶこととする。
【００２１】
ここで、股下域２５内に、クロッチ部２００が形成されており、クロッチ部２００よりも着用者の腹側の領域を、前胴回り領域２０と定義し、クロッチ部２００よりも着用者の背側の領域を、後前胴回り領域３０と定義とするものとする。
【００２２】
また、使い捨ておむつ１０には、一対の脚回り開口部３５が形成される。脚回り開口部３５は、使い捨ておむつ１０の製品幅方向Ｗの側端部に設けられており、使い捨ておむつ１０が着用者に着用された状態で、着用者の脚回りに沿って配置される部分である。
【００２３】
本実施形態に係る使い捨ておむつ１０は、股下域２５を跨ぎ、且つ、股下域２５から前胴回り域２０及び後胴回り域３０の少なくとも一方に向かって延びる吸収体４０を備える。図２に示すように、吸収体４０は、吸収性コア４０ａとコアラップ４０ｂとによって構成されている。
【００２４】
吸収性コア４０ａは、従来の使い捨ておむつで用いられているものと同様であり、粉砕パルプや高吸収ポリマー等、公知の部材や材料を用いて、吸収性コア４０ａを適宜構成することができる。吸収性コア４０ａは、シート状のコアラップ４０ｂによって包まれている。
【００２５】
コアラップ４０ｂは、吸収性コア４０ａを被覆するシートである。コアラップ４０ｂの少なくとも肌当接面側の一部は、液透過性を有する各種の繊維不織布若しくはティッシュシートによって構成されている。
【００２６】
例えば、コアラップ４０ｂを構成する部材としては、質量約１０〜３０ｇ/ｍ２のエアスルー繊維不織布や、スパンボンド不織布や、ＳＭＳ（スパンボンド-メルトブロン-スパンボンド）不織布や、質量約１０〜３０ｇ/ｍ２のティッシュシートを用いることができる。
【００２７】
また、図２及び図３に示すように、吸収体４０の表面側（肌当接面側）には、液透過性のトップシート５０が備えられており、吸収体４０の裏面側（非肌当接面側Ｓ）には、液不透過性のバックシート６０ａが備えられている。
【００２８】
吸収体４０の製品幅方向Ｗにおける両側縁部には、サイドフラップ７０がそれぞれ備えられている。サイドフラップ７０は、１枚又は２枚以上の複数枚重ねた不織布によって構成されている。
【００２９】
また、図１に示すように、一対のサイドフラップ７０には、ファスニングテープ９０がそれぞれ備えられている。
【００３０】
ファスニングテープ９０は、後胴回り域３０において、製品幅方向Ｗに延びており、前胴回り域２０の非肌当接面に取り付けられることによって、使い捨ておむつ１０を着用者の身体に保持するように構成されている。
【００３１】
ターゲット部９５は、前胴回り域２０の非肌当接面に配置されており、一対のファスニングテープ９０は、ターゲット部９５に止着するように構成されている。
【００３２】
本実施形態に係る使い捨ておむつ１０において、前胴回り域２０と後胴回り域３０とファスニングテープ９０とによって胴回り保持部が構成される。
【００３３】
ここで、後胴回り域３０における胴回り保持部は、ファスニングテープ９０の係合部材が設けられた領域から製品幅方向Ｗに延びる範囲であり、前胴回り域２０における胴回り保持部は、ターゲット部９５が設けられた領域から製品幅方向Ｗに延びる範囲である。
【００３４】
また、図１に示すように、本実施形態に係る使い捨ておむつ１０は、股下域２５に形成され、伸縮可能なクロッチ伸縮部２００ａを備えている。
【００３５】
具体的には、クロッチ伸縮部２００ａは、クロッチ部２００内に、より具体的には、股下域２５内において吸収体４０が配置されている吸収体配置領域内に形成されている。なお、クロッチ伸縮部２００ａの構成については、後述にて詳細に説明する。
【００３６】
また、図１に示すように、吸収体４０の表面側（トップシート５０側）には、脚回り開口部３５に沿って形成され、少なくとも製品長手方向Ｌに伸縮可能な一対のレッグ伸縮部（レッグギャザー）７５が備えられている。
【００３７】
レッグ伸縮部７５は、製品長手方向Ｌにおいて、クロッチ伸縮部２００ａよりも長いと共に、製品幅方向Ｗにおいて、クロッチ伸縮部２００ａよりも外側に備えられている。
【００３８】
レッグ伸縮部７５は、脚回り開口部３５を製品長手方向Ｌに伸縮できるように構成されていればよく、脚回り開口部３５に沿って配置されていてもよいし、レッグ伸縮部７５の一部は、脚回り開口部３５に対して傾斜した状態で配置されていてもよい。
【００３９】
また、レッグ伸縮部７５は、伸縮性シート等によって実質的に製品長手方向Ｌに収縮する部分であり、収縮力が発揮されない状態で伸縮性シートが配置された部分を除く概念である。なお、レッグ伸縮部７５の構成については、後述にて詳細に説明する。
【００４０】
＜レッグサイドギャザー８０＞
また、図１に示すように、一対のレッグ伸縮部７５の内側（製品幅方向Ｗにおける中央寄り）には、製品長手方向Ｌに沿って延びる一対のレッグサイドギャザー８０が備えられていてもよい。
【００４１】
レッグサイドギャザー８０は、サイドフラップ７０の製品幅方向Ｗの内側端部に設けられており、レッグ伸縮部７５よりも製品幅方向Ｗの内側に配置される起立性の伸縮ギャザーである。
【００４２】
レッグサイドギャザー８０は、従来において周知の構成を採用することができ、具体的には、サイドフラップ７０と別のシート材によって構成されていてもよい。
【００４３】
サイドフラップ７０は、製品幅方向Ｗにおける内側端部においてトップシート５０側に折り返されており、２層に積層されている。図２に示すように、積層された状態のサイドフラップ７０の間に、製品長手方向Ｌに伸長された状態で、弾性部材７１（図２参照）が設けられている。サイドフラップ７０及び弾性部材７１によって、レッグサイドギャザー８０が形成される。
【００４４】
レッグサイドギャザー８０は、トップシート５０又はバックシート６０ａに接合される接合部分８１と、弾性部材７１が配置された自由端部分８２とを有する。
【００４５】
自由端部分８２のうち、股下域２５を含む製品長手方向Ｌの中央部分は、弾性部材７１によって製品長手方向Ｌに収縮し、収縮部８４を構成する。
【００４６】
レッグサイドギャザー８０は、使い捨ておむつ１０の着用時には、接合部分８１を基端部として立ち上がり、自由端部分８２の収縮部８４が頂点部として着用者の肌と接触する。すなわち、接合部分は、レッグサイド伸縮部の立ち上がりの基端部となる。
【００４７】
なお、収縮部８４は、弾性部材７１によって実質的に製品長手方向Ｌに収縮した部分であり、収縮力が発揮されない状態で弾性部材７１が配置された部分を除く概念である。
【００４８】
また、図２に、レッグサイドギャザー８０において、サイドフラップ７０とトップシート５０（又は、バックシート６０ａ等）とが接合された接合部分８１に斜線を付して示す。
【００４９】
接合部分８１は、複数設けられており、第１接合部分８１Ａは、収縮部８４よりも製品長手方向Ｌの外側に配置されており、第２接合部分８１Ｂは、収縮部８４よりも製品幅方向Ｗの外側に配置されている。
【００５０】
よって、レッグサイドギャザー８０は、股下域２５を含む製品長手方向Ｌの中央部分が着用者側に立ち上がるように構成される。
【００５１】
レッグサイドギャザー８０の接合部分８１のうち、収縮部８４よりも製品長手方向Ｌの外側に配置されている第１接合部分８１Ａは、トップシート５０に接合される。
【００５２】
レッグサイドギャザー８０の接合部分８１のうち、収縮部８４よりも製品幅方向Ｗの外側に配置されている第２接合部分８１Ｂは、製品幅方向Ｗにおいて、クロッチ伸縮部２００ａとレッグ伸縮部７５との間に配置される。
【００５３】
第２接合部分８１Ｂは、製品長手方向Ｌの全長にてバックシート６０ａ（及び、製品長手方向Ｌの一部において外装シート６０）に接合される。なお、バックシート６０ａは、吸収体４０と外装シート６０との間に配置されており、防漏シートとして機能する。
【００５４】
なお、レッグサイドギャザー８０の接合部分８１は、種々の構成を採用できる。かかる接合部分８１は、例えば、製品長手方向Ｌに股下部２５から前胴回り域２０及び後胴回り域３０に延び、トップシート５０に接合される部分であってもよいし、吸収性コア４０ａよりも製品幅方向Ｗの外側において、液不透過性のバックシート６０ａや外装シート６０に接合される部分であってもよく、起立の基端部となるように構成される。
【００５５】
また、レッグサイドギャザー８０は、レッグ伸縮部７５よりも製品幅方向Ｗの内側に配置される起立性のギャザーであればよく、上述の構成に限定されず、従来において周知のレッグサイドギャザー８０の構成を採用できることは勿論である。
【００５６】
＜ウェスト伸縮部（ウェストギャザー）１００＞
また、使い捨ておむつ１０は、後胴回り域３０に形成され、製品幅方向Ｗに伸縮可能なウェスト伸縮部１００を備えていてもよい。
【００５７】
具体的には、ウェスト伸縮部１００は、製品幅方向Ｗにおける一対のファスニングテープ９１の間に設けられており、ファスニングテープ９１の間を製品幅方向Ｗに収縮するように構成されている。
【００５８】
本実施形態において、ウェスト伸縮部１００は、伸縮性シートによって構成されている。ウェスト伸縮部１００を構成する部材については、特に限定されないが、出来る限り薄くて曲げ剛性が低く、幅入り率が小さいものを用いることが好ましい。
【００５９】
ここで、曲げ剛性を低い材料によってウェスト伸縮部１００を構成することにより、ウェスト伸縮部１００が、着用者の身体に沿って曲がりやすくなり、着用者の身体に負荷をかけずに、ウェスト伸縮部１００を着用者の身体に沿わせてフィットさせることができる。
【００６０】
また、幅入りが小さい材料によってウェスト伸縮部１００を構成することにより、使い捨ておむつ１０が製品幅方向Ｗに伸長した場合における使い捨ておむつ１０の製品長手方向Ｗの収縮を抑制し、着用者の腰回り（ウェスト）において、使い捨ておむつ１０が着用者の股下側に引き下がることを抑制できる。
【００６１】
本実施形態では、ウェスト伸縮部１００として、目付けが２０〜４５ｇ/ｍ２の伸縮性フィルムを用いた。
【００６２】
ウェスト伸縮部１００は、非伸長状態（自然状態）における長さの１.２５〜２.５倍に引き延ばされた後、ホットメルト接着剤又は加熱処理等によって外装シート６０に接着される。
【００６３】
本実施形態では、ウェスト伸縮部１００は、外装シート６０とバックシート６０ａとの間に配置されている。しかし、コアラップ４０ｂが吸収性コア４０ａよりも製品長手方向Ｌの外側に延出する構成にあっては、ウェスト伸縮部１００は、コアラップ４０ｂとバックシート６０ａ（又は、外装シート６０）との間に配置されていてもよい。
【００６４】
ウェスト伸縮部１００の位置は、特に限定されない。また、吸収体４０が配置されない領域にあっては、ウェスト伸縮部１００は、サイドフラップ７０とバックシート６０ａ（又は、外装シート６０）との間に配置されていてもよい。
【００６５】
なお、本実施形態に係るウェスト伸縮部１００は、製品幅方向Ｗに伸縮するように構成されているが、製品幅方向Ｗ及び製品長手方向Ｌの両方に伸縮するように構成されていてもよい。
【００６６】
＜吸収体４０における低剛性領域２１０＞
ここで、吸収体４０は、後胴回り域３０において、吸収体４０の他の部位よりも目付けが低い又は吸収性コア４０ａが存在しない低剛性領域２１０を有する。
【００６７】
また、低剛性領域２１０は、吸収体４０の製品長手方向Ｌにおける後胴回り域３０側の端部Ｅ９近傍まで延びるように形成されている。
【００６８】
製品幅方向Ｗにおける低剛性領域２１０の幅は、吸収体４０の製品長手方向Ｌにおける後胴回り域３０側の端部Ｅ９に向かうに連れて広くなっている。
【００６９】
より具体的には、低剛性領域２１０の形状は、使い捨ておむつ１０の平面視において、くさび状である。
【００７０】
さらに、吸収体４０は、製品幅方向Ｗにおける伸縮が他の領域よりも抑制された領域である伸縮抑制領域２２０を有する。
【００７１】
ここで、伸縮抑制領域２２０は、図１に示すように、低剛性領域２１０の製品幅方向Ｗの外側にそれぞれ形成されている。
【００７２】
また、伸縮抑制領域２２０と低剛性領域２１０との境界は、製品幅方向Ｗの中心に向けて凸となるような円弧で形成されている。また、低剛性領域２１０よりも製品幅方向Ｗの外側における吸収体４０は、後胴回り域３０側の端部Ｅ９に向けて凸となる台形形状である。
【００７３】
かかる構成によれば、着用補助者に対して、着用者の臀部の形状のイメージを抱かせることができる。
【００７４】
特に、使い捨ておむつ１０が、テープ型の使い捨ておむつ１０である場合には、着用者の身体の下に使い捨ておむつ１０を敷く際に、吸収性コア４０ａが上述の形状とされていること、或いは、後胴回り域３０のウェスト伸縮部１００が上述の形状とされていることで、着用補助者に対して、着用者の臀部を置くべき位置を想起させることができるため、より使い捨ておむつ１０を正しい位置に装着させることが可能となる。
【００７５】
なお、ウェスト伸縮部１００及び吸収体４０は、使い捨ておむつ１０の平面視において、少なくとも一部において重なるように構成されている。
【００７６】
具体的には、ウェスト伸縮部１００は、使い捨ておむつ１０の平面視において、低剛性領域２１０の少なくとも一部と重なるように構成されている。
【００７７】
なお、本実施形態では、ウェスト伸縮部１００は、低剛性領域２１０の一部と重なって配置されているが、低剛性領域２１０の全てと重なって配置されていてもよい。
【００７８】
このような低剛性領域２１０が形成されていることにより、ウェスト伸縮部１００の伸縮を阻害せず、ウェスト伸縮部１００が収縮しても、低剛性領域２１０が狭まり、低剛性領域２１０よりも製品幅方向Ｗの外側における吸収体４０同士の間隔が狭くなるため、吸収体４０が、意図しない形状で隆起し難くなる。
【００７９】
なお、低剛性領域２１０は、排泄物の漏れ防止を考慮すると、ウェスト伸縮部１００の幅より狭い幅を有することが好ましい。
【００８０】
また、吸収体４０が、ウェスト伸縮部１００によって製品幅方向Ｗに収縮させられて、低剛性領域２１０よりも製品幅方向Ｗの外側における吸収体４０同士の間隔が狭くなると、低剛性領域２１０において、後胴回り域３０側の端部Ｅ９寄りの部位が、股下域２５寄りの部位よりも大きく製品幅方向Ｗの中央に寄せられるため、後胴回り域３０側の端部Ｅ９寄りの部位と股下域２５寄りの部位とでは、製品幅方向Ｗにおける収縮量の差が発生し、後胴回り域３０が起立するようになる。
【００８１】
すなわち、使い捨ておむつ１０には、製品幅方向Ｗに伸縮可能なウェスト伸縮部１００及びくさび状の低剛性領域２１０が設けられているため、使い捨ておむつ１０の装着時に、非肌当接面側Ｓに使い捨ておむつ１０が膨らむカップ形状が形成され易い。
【００８２】
また、本実施形態では、低剛性領域２１０には、吸収性コア４０ａが存在せず、低剛性領域２１０と重なるように、ウェスト伸縮部１００が存在するため、低剛性領域２１０において、後胴回り域３０側の端部Ｅ９寄りの部位が、吸収性コア４０ａの端部位置よりも大きく製品幅方向Ｗ中央に寄せられ、後胴回り域３０の立ち上がりが、より顕著になるため、カップ形状をより安定して形成し得る。
【００８３】
本実施形態では、ウェスト伸縮部１００は、吸収性コア４０ａの製品幅方向Ｗにおける側縁を超えて存在するため、使い捨ておむつ１０をカップ形状に形成しつつ、製品長手方向Ｌにおける後胴回り域３０側の端部Ｅ９側寄りの位置の吸収性コア４０ａについては、着用者の身体に積極的に沿わせることができる。
【００８４】
さらには、ウェスト伸縮部１００及び低剛性領域２１０の少なくとも一部は、一対のファスニングテープ９０から製品幅方向Ｗに延びる領域に存在する。
【００８５】
よって、使い捨ておむつ１０を下に敷いて着用者を寝かせた状態で、使い捨ておむつ１０を着用者に装着する際でも、吸収性コア４０ａの製品幅方向Ｗにおける側縁を超えて存在するウェスト伸縮部１００が、着用者の身体の下に敷かれない。
【００８６】
したがって、一対のファスニングテープ９０を引っ張ることによってウェスト伸縮部１００の側縁が伸長し、カップ形状のウェスト側寄りの位置を、より確実に着用者の身体に沿わせることが容易となる。
【００８７】
本実施形態では、低剛性領域２１０よりも製品幅方向Ｗの外側における吸収性コア４０ａが、後胴回り域３０側に向かって凸形状である。このため、上述したように、非肌当接面側Ｓに使い捨ておむつ１０が膨らむカップ形状が形成され易くすることに加え、吸収性コア４０ａの表面面積が維持されるため、吸収性コア４０ａの端部からの排泄物の漏れを防止し得る。
【００８８】
本実施形態では、低剛性領域２１０は、使い捨ておむつ１０の平面視において、くさび状であり、吸収性コア４０ａと低剛性領域２１０との境界は、股下域２５に向けて凸となるような円弧によって形成されている。なお、かかる円弧の半径は、５０ｍｍ〜２００ｍｍである。
【００８９】
このため、（自然状態の）低剛性領域２１０の製品幅方向Ｗにおける長さ（幅）は、製品長手方向Ｌにおける後胴回り域３０側の端部Ｅ９に行くに連れて非線形に大きくなり、後胴回り域３０の立ち上がりが、より顕著になるため、カップ形状をより安定して形成し易い。
【００９０】
さらに、吸収性コア４０ａと低剛性領域２１０との境界が、股下域２５に向けて凸となるような円弧によって形成されるため、後胴回り域３０が、低剛性領域２１０の収縮によって丸みのあるカップ形状となり、着用者の丸みのある臀部に沿い易い形状となる。
【００９１】
また、低剛性領域２１０が形成されていることで、吸収体４０の後胴回り域３０側の端部Ｅ９には、左右それぞれに後回り域３０側に向かう凸形状が形成されている。かかる吸収体４０の形状は、着用者の臀部を乗せることを想起させるため、着用補助者は、使い捨ておむつ１０を、より着用者にとって正しい位置に合わせ易くなるという効果がある。
【００９２】
＜吸収体４０の曲げ剛性＞
本実施形態における曲げ剛性は、テーバー法（ＪＩＳＰ８１２５）に準拠した剛性値に基づいており、以下の方法によって測定される。
【００９３】
まず、使い捨ておむつ１０を展開状態にて、曲げ剛性の測定対象部分のサンプル（例えば、吸収体４０）を採取する。
【００９４】
サンプルは、曲げ剛性の測定対象部分について、７０ｍｍ（製品幅方向Ｗの長さ）×３８ｍｍ（製品長手方向Ｌの長さ）の寸法とする。サンプル中に、弾性部材が含まれる場合には、かかる弾性部材を取り除いておく。なお、剛性値の測定の試験器は、（株）安田精機製作所製のテーバースティフネステスターを使用する。また、サンプル数は、１０であり、各サンプルについて測定し、その平均値を剛性値とする。
【００９５】
かかる測定の手順は、以下の（ａ）〜（ｅ）の通りである。
（ａ）採取したサンプルの厚み（Ａ）を測定する。
（ｂ）次いで、試験機のチャック（下側）の中心に触れる程度にサンプルを挟み込む。
（ｃ）支持ローラとサンプルとの左右隙間の合計を（Ａ）×０.８０（ｍｍ）に調節する。
（ｄ）指示荷重目盛が最大目盛りの１５〜８５％の範囲に入るように、補助おもりを適切に選択する。
（ｅ）サンプルを左右両方向に回転させ、１５度支持刻線と振り子の中心刻とが一致した点で停止させ、試験機の目盛りを読み取る。目盛りの左側の数値を（Ｂ）とし、目盛りの右側の数値を（Ｃ）とする。
【００９６】
剛性値は、以下の式によって求められる。
【００９７】
式： 剛性値（ｍＮ・ｍ）＝(（（Ｂ）＋（Ｃ））/２)×（補助おもり係数）×９.８ 1×１０-2 
なお、試験片の幅が３８ｍｍを採取できない場合には、３８ｍｍ幅の曲げモーメントへ換算を行う。
【００９８】
このように測定した剛性値が高いほど、曲げ剛性が高く、剛性値が低い程、曲げ剛性が低くなる。
【００９９】
＜ファスニングテープ及びターゲット部の構成＞
ファスニングテープ９０は、後胴回り域３０に対応するサイドフラップ７０の領域に取り付けられている。
【０１００】
具体的には、図１に示すように、ファスニングテープ９０は、サイドフラップ７０に連結された基材シート９１と、複数の係合部材としての係合フック（図示せず）が設けられ、基材シート９１に固定されたフックシート９２とを備える。
【０１０１】
フックシート９２は、係合部材が設けられた領域であり、上述の胴回り保持部は、フックシート９２から製品幅方向Ｗに延びる領域である。
【０１０２】
フックシート９２は、基材シート９１に固定（具体的には、接合）されている。
【０１０３】
かかるフックシート９２と基材シート９１との接合は、ファスニングテープ９０の剛性が必要以上に高くなることがないようされていることが好ましい。具体的には、フックシート９２及び基材シート９１とは、点状、線状或いはスパイラル状のような間欠的に塗布されたホットメルト接着剤によって接合されていることが好ましい。なお、フックシート９２及び基材シート９１は、熱シール等で接合されてもよい。  
【０１０４】
基材シート９１は、１枚又は２枚以上の複数枚重ねた不織布によって構成されている。基材シート９１としては、ＳＢ（スパンボンド）又はＳＭＳ（スパンボンド-メルトブロン-スパンボンド）等の製法によって製造された不織布を用いることができる。基材シート９１を構成する不織布の目付け（複数枚の場合は、合計目付け）は、３０〜１２０ｇ/ｍ２であり、好ましくは４０〜９０ｇ/ｍ２である。
【０１０５】
ターゲット部９５は、前胴回り域２０の外装シート６０の非肌当接面に設けられている。ターゲット部９５は、ファスニングテープの係合フックが引っ掛かるように構成されており、フックとループの係止システムのループとして機能する。ターゲット部９５としては、例えば、エアースルー不織布を用いることができる。
【０１０６】
ターゲット部９５は、例えば、ポリオレフィン系の熱可塑性合成樹脂繊維から作られた繊維不織布又はポリオレフィン系の熱可塑性合成樹脂フィルムを用いることができる。また、ターゲット部９５に取り付けられたループは、ポリオレフィン系の熱可塑性合成樹脂によって形成できる。
【０１０７】
更に、ターゲット部９５として、嵩高の不織布であって、その一部をエンボスすることで不織布表面の毛羽立ちを防止した不織布を用いてもよい。
【０１０８】
また、使い捨ておむつ１０の外装シート６０を不織布によって形成し、ファスニングテープ９０の取り付け位置を示す図柄をバックシート６０ａ又は外装シート６０の非肌当接面に印刷する、若しくは、かかる図柄のシートをバックシート６０ａ又は外装シート６０の非肌当接面側Ｓに配置することによってもターゲット部９５とすることができる。
【０１０９】
＜レッグ伸縮部７５＞
レッグ伸縮部７５は、吸収体４０よりも製品幅方向Ｗの外側に設けられた脚回り開口部３５に沿って配置され、製品長手方向Ｌに伸縮可能に構成されている。
【０１１０】
レッグ伸縮部７５は、股下域２５において製品幅方向Ｗにおける位置が最も内側に位置する幅方向内端領域７５Ｉを有している。
【０１１１】
脚回り開口部３５及びレッグ伸縮部７５は、特に、後胴回り域３０において、股下域２５から製品長手方向Ｌの外側に向かうにつれて製品幅方向Ｗの外側に向かって延びている。
【０１１２】
なお、レッグ伸縮部７５の幅方向内端領域７５Ｉは、製品長手方向Ｌに連続して配置されていてもよいし、製品長手方向Ｌに連続していなくてもよい。
【０１１３】
本実施形態では、脚回り開口部３５の製品幅方向Ｗにおける位置が股下域において最も内側に位置する領域は、レッグ伸縮部７５の幅方向内端領域７５Ｉと一致しているが、必ずしも一致していなくてもよい。
【０１１４】
本実施形態では、レッグ伸縮部７５は、伸縮性シートによって構成されている。例えば、かかる伸縮性シートとしては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【０１１５】
また、かかる伸縮性シートの代わりに、ポリウレタン弾性繊維や天然ゴムからなる糸状・帯状の弾性部材を、１本又は複数本配置することによって、レッグ伸縮部７５を構成してもよい。
【０１１６】
或いは、例えば、レッグ伸縮部７５は、所定本数の弾性部材（例えば、３本の弾性部材）によって構成されていてもよい。
【０１１７】
レッグ伸縮部７５は、サイドフラップ７０と外装シート６０との間に配置されている。或いは、吸収体４０と外装シート６０との間に配置されるバックシート６０ａが備えられる領域では、レッグ伸縮部７５は、バックシート６０ａとサイドフラップ７０との間に配置されている。
【０１１８】
具体的には、かかる伸縮性シート部材の幅（使い捨ておむつ１０の自然状態における製品幅方向Ｗにおける幅）は、少なくとも股下域２５において、５ｍｍ以上４５ｍｍ以下であることが好ましく、１２.５ｍｍ以上３５ｍｍ以下であることが好ましい
なお、かかる測定は、シンワ測定株式会社製スプリングメジャー（テープ部：ガラス繊維入り塩ビ被覆）を用いて、測定対象部位に沿わせるようにして行った（１０サンプル）。
【０１１９】
ここで、かかる伸縮性シート部材の幅が５ｍｍ未満では、実質的に面で着用者の脚回りに沿うことで、部分的に締め付ける力が集中せずに、弾性要素による着用者の肌への負荷を下げるという効果が発現せず、かかる伸縮性シート部材の幅が４５ｍｍを超えると、（自然状態の）使い捨ておむつ１０全体の製品幅方向Ｗの長さと比較して脚回り開口部３５に沿う領域が広くなり過ぎてしまい、伸縮性シートが着用者の身体側に巻き込んだり、めくれたりし易くなってしまう。
【０１２０】
レッグ伸縮部７５の伸縮率は、１.５〜２.２倍であることが好ましい。例えば、本実施形態では、レッグ伸縮部７５の伸縮率は、１.８〜２.０倍に設定されている。
【０１２１】
なお、伸縮率は、伸縮方向（本実施形態では、製品長手方向Ｌ）におけるレッグ伸縮部７５の伸縮の程度を意味し、以下のように規定される。
【０１２２】
伸縮率＝（最大伸張状態におけるレッグ伸縮部７５の伸縮方向における長さ）/（自然状態におけるレッグ伸縮部７５の伸縮方向における長さ）
なお、本明細書において、かかる伸縮率は、例えば、次のように測定されるものとする。
【０１２３】
第１に、使い捨ておむつ１０がパッケージ等に封入されている場合には、パッケージから使い捨ておむつ１０を取り出す。
【０１２４】
次いで、レッグ伸縮部７５の配置領域を切り出す。このとき、レッグ伸縮部７５に接合される外装シート６０も含めて切り出す。切り出した後のレッグ伸縮部７５のサンプルの伸長率を測定して、レッグ伸縮部７５の伸長率を計測する。
【０１２５】
各サンプルについて、２０℃±２℃、相対湿度６０％±５％ＲＨの雰囲気下において６０分間放置し、伸縮方向に沿ってレッグ伸縮部７５の長さを測定する。この長さを、「自然状態のレッグ伸縮部７５の長さ」とする。
【０１２６】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態におけるレッグ伸縮部７５の長さ」とする。
【０１２７】
これら測定結果を用い、上述の式にて算出することで伸長率が測定される。
【０１２８】
また、左右一対のレッグ伸縮部７５の製品幅方向Ｗにおける内側端の間隔は、股下域２５から前胴回り域２０に向かうに連れて広くなるとともに、股下域２５から後胴回り域３０に向かうに連れて広くなる。
【０１２９】
着用者の身体に使い捨ておむつ１０を装着する場合、股下部にて狭く前後の胴回りに向かって広がる形状にレッグ伸縮部７５を配置することで、よりレッグ伸縮部７５が、着用者の身体のラインに沿うことが可能となり、着用者の脚回りに好適にレッグ伸縮部７５が伸長配置されることとなる。
【０１３０】
さらに、左右一対のレッグ伸縮部７５の前胴回り域２０の端部における間隔（図中のＤ１）は、左右一対のレッグ伸縮部７５の後胴回り域３０の端部における間隔（図中のＤ２）よりも狭い。
【０１３１】
なお、これらの間隔は、使い捨ておむつ１０を自然状態から皺がない状態に製品長手方向Ｌ及び製品幅方向Ｗに拡幅して保持した後、左右一対のレッグ伸縮部７５の製品幅方向Ｗにおける内側端間の距離を測定したものである。
【０１３２】
着用者の身体の皮膚表面の伸びは、臀部において特に大きく、その幅方向外側寄りの位置にて顕著である。また、レッグ伸縮部７５は、着用者の身体に密着している。そこで、Ｄ２＞Ｄ１とすることで、使い捨ておむつ１０に着用者の動きが加わった場合でも、着用者の臀部側でのレッグ伸縮部７５が密着したまま伸びることができ、伸びの変化量が大きくてもレッグ伸縮部７５が突っ張ることがない。したがって、レッグ伸縮部７５による使い捨ておむつ１０のズレを抑制し得る。
【０１３３】
また、着用者の両脚の間隔は、股下部が最も狭く、股下部から腹側や背側に向かって広がる形状である。脚回り開口部３５及びレッグ伸縮部７５は、股下域２５から製品長手方向Ｌの外側及び製品幅方向Ｗの外側に向かって延びる形状であるため、着用者の脚回りに沿って脚回り開口部３５及びレッグ伸縮部７５を配置でき、局所的な応力集中を抑制できるため、比較的低い伸長率にて着用者に密着でき、肌への負担を減らすことが可能となる。
【０１３４】
レッグ伸縮部７５は、着用者の脚回りに沿って使い捨ておむつ１０を湾曲させて収縮するように構成されている。レッグ伸縮部７５の製品長手方向Ｌの端部は、製品幅方向Ｗに広がるように配置されており、胴回り保持部の近傍に配置される。よって、レッグ伸縮部７５の製品長手方向Ｌの端部は、胴回り保持部と共に製品幅方向Ｗに収縮するように作用する。
【０１３５】
＜クロッチ伸縮部２００ａ＞
次に、クロッチ伸縮部２００ａの形状について説明する。
【０１３６】
クロッチ伸縮部２００ａは、吸収体４０の他の部分よりも、使い捨ておむつ１０の着用者への装着時において、股下域２５の一部に平坦な形状を維持できるように構成されている。
【０１３７】
ここで、クロッチ伸縮部２００ａは、製品長手方向Ｌに伸縮可能であってもよいし、製品幅方向Ｗに伸縮可能であってもよいし、製品長手方向Ｌ及び製品幅方向Ｗの両方に伸縮可能であってもよい。
【０１３８】
例えば、クロッチ伸縮部２００ａは、レッグ伸縮部７５とは個別独立して設けられており、吸収性コア４０ａと重なる位置（本実施形態では、吸収性コア４０ａを包むコアラップ４０ｂとバックシート６０ａとの間の位置）において、かかる位置における吸収性コア４０ａの製品幅方向Ｗの長さ（自然状態）の６０％以上を収縮させるように構成されている。
【０１３９】
このように、クロッチ伸縮部２００ａによって吸収性コア４０ａが配置された部分を収縮させることにより、吸収性コア４０ａが縮み、吸収性コア４０ａが縮まない部分と比較して平坦な形状を維持し易くなる。
【０１４０】
一方、クロッチ伸縮部２００ａよりも製品長手方向Ｌ外側に位置する前胴回り域２０や後胴回り域３０に位置する吸収性コア４０ａは、クロッチ伸縮部２００ａによって収縮していない。
【０１４１】
したがって、ファスニングテープ９０により、着用者の腰やウェスト周りに保持された状態において、使い捨ておむつ１０の股下域２５に平坦な形状で維持されるクロッチ伸縮部２００ａが過度に身体に密着することなく、結果、クロッチ伸縮部２００ａが適度に身体に沿って配置される。
【０１４２】
また、クロッチ伸縮部２００ａが、製品長手方向Ｌに沿って伸縮可能である場合、前胴回り域２０及び後胴回り域３０が、クロッチ伸縮部２００ａの収縮によって立ち上がり易くなり、着用時には、着用者の股下部にて身体に沿って平坦な股下域を形成することができる。
【０１４３】
その結果、クロッチ伸縮部２００ａから前胴回り域２０及び後胴回り域３０が立ち上がるので、使い捨ておむつ１０の着用者へのフィット性が向上する。
【０１４４】
すなわち、クロッチ伸縮部２００ａの収縮によって、使い捨ておむつ１０の股下域２５が、着用者の股下部に配置されるように、安定して使い捨ておむつ１０を装着することができる。
【０１４５】
また、上述のように、クロッチ伸縮部２００ａは、伸縮可能となるように構成されているので、使い捨ておむつ１０の股下域２５の一部が、収縮して使い捨ておむつ１０の着衣側（非肌当接面側Ｓ）の表面に凹凸の皺が形成される。
【０１４６】
この結果、着用補助者に対して、視覚的かつ触感的に、本実施形態に係る使い捨ておむつ１０においてクロッチ部２００が明確に存在することを想起させることが可能となる。
【０１４７】
なお、クロッチ伸縮部２００ａは、伸縮性シート部材によって構成されていてもよい。
【０１４８】
伸縮性シート部材によってクロッチ伸縮部２００ａを構成することにより、伸縮性シート部材を配置した領域の吸収性コア４０ａが一様に縮められ、平坦な形状維持がより容易になる。なお、伸縮性シート部材は、例えば、レッグ伸縮部７５と同様の伸縮性シートによって構成することができる。
【０１４９】
例えば、かかる伸縮性シート部材としては、ウレタンやスチレンのような熱可塑性エラストマ樹脂を溶融しフィルム状とした伸縮性フィルムや、伸縮繊維からなる伸縮性不織布や、伸縮性フィルムや伸縮性不織布に部分的に切断され又は脆弱化された非伸張性シートを張り合わせた複合シート等を用いることができる。
【０１５０】
また、かかる伸縮性シート部材の代わりに、ポリウレタン弾性繊維や天然ゴムからなる糸状・帯状の伸縮可能な弾性部材を、互いに並列に並べることによってクロッチ伸縮部２００ａを構成してもよい。
【０１５１】
かかる場合、吸収性コア４０ａの剛性及び使い捨ておむつ１０を構成する他の部材の剛性を考慮して、用いる弾性部材の太さや配置するピッチを適宜選択できるが、使い捨ておむつ１０本体を自然状態（非伸張状態）とした際に吸収性コア４０ａの製品幅方向Ｗにおける側縁部全域が収縮した状態となるようにすることが好ましい。
【０１５２】
また、クロッチ伸縮部２００ａによって吸収性コア４０ａを一様に縮めるためには、弾性部材同士の間隔を、７ｍｍ以下とすることが好ましく、５ｍｍ以下とすることがより好ましい。また、吸収性コア４０ａを一様に縮めるために、隣り合う弾性部材の間隔の差を、２ｍｍ以下とすることが望ましい。
【０１５３】
具体的には、クロッチ伸縮部２００ａの伸縮率は、１.２倍以上１.８倍以下であることが好ましい。例えば、本実施形態では、クロッチ伸縮部２００ａの伸縮率は、１.４倍に設定されている。
【０１５４】
伸縮率は、伸縮方向（本実施形態では、製品長手方向Ｌ）におけるクロッチ伸縮部２００ａの伸縮の程度を意味し、以下のように規定される。
【０１５５】
伸縮率＝（最大伸張状態におけるクロッチ伸縮部２００ａの伸縮方向における長さ）/（自然状態におけるクロッチ伸縮部２００ａの伸縮方向における長さ）
なお、本明細書において、かかる伸縮率は、例えば、次のように測定されるものとする。
【０１５６】
第１に、使い捨ておむつ１０がパッケージ等に封入されている場合には、パッケージから使い捨ておむつ１０を取り出し、その状態にて２０℃±２℃、相対湿度６０％±５％ＲＨの雰囲気下において６０分間放置し、伸縮方向に沿ってクロッチ伸縮部２００ａの長さを測定する。この長さを、「自然状態のクロッチ伸縮部２００ａの長さ」とする。
【０１５７】
第２に、かかる状態（すなわち、自然状態）における所望領域の伸縮方向における長さ、及び、自然状態から弾性部材による皺が目視にて確認できない状態まで延伸した時の所望領域の伸縮方向における長さを測定する。この長さを、「伸長状態におけるクロッチ伸縮部２００ａの長さ」とする。
【０１５８】
これら測定結果を用い、上述の式にて算出することで伸長率が測定される。
【０１５９】
このように、クロッチ伸縮部２００ａの伸縮率を、１.２倍以上１.８倍以下とすることによって、着用者の皮膚の伸縮に好適に追従することができる。
【０１６０】
例えば、着用者が、身体前側が縮むような前屈みの姿勢をとると、着用者の臀部側の皮膚において、身体を伸ばした状態に対して３０％程度伸びる部位が存在する。
【０１６１】
つまり、クロッチ伸縮部２００ａの伸縮率を１.２倍以下とすると、自然状態におけるクロッチ伸縮部２００ａの収縮が十分でなく、クロッチ伸縮部２００ａが設けられていない場合と比較して、使い捨ておむつ１０の股下域２５における吸収体配置領域の収縮が小さく、使い捨ておむつ１０の股下域２５が、着用者の股下部において身体に沿うように平坦な形状をとることが不十分になってしまい、使い捨ておむつ１０が、着用者の身体からズレ易くなってしまう。
【０１６２】
一方、クロッチ伸縮部２００ａの伸縮率を１.８倍よりも大きくすると、クロッチ伸縮部２００ａの収縮方向における収縮寸法が大きくなり過ぎるため、クロッチ伸縮部２００ａが存在する領域が、身体に沿うよりも密着する状態となり易く、使い捨ておむつ１０が、着用者の下方にズレ易くなってしまう。
【０１６３】
また、クロッチ伸縮部２００ａの製品長手方向Ｌにおける収縮量は、使い捨ておむつ１０の製品長手方向Ｌにおける長さの２〜８％となるように構成されていてもよい。
【０１６４】
なお、収縮量は、皺が十分に小さくなり、サンプルの表面が平滑に近くなるように伸長した状態での長さ「ｂ（ｍｍ）」と、サンプルの伸縮方向に沿う向きにおける自然状態での長さ「ａ（ｍｍ）」との差であり、（ｂ-ａ）によって算出されることができる。
【０１６５】
本発明者は、クロッチ伸縮部２００ａの製品長手方向Ｌにおける収縮量を、使い捨ておむつ１０の製品長手方向Ｌにおける長さの２〜８％とすると、使い捨ておむつ１０を着用者に対して装着する過程において、クロッチ伸縮部２００ａが、好ましく着用者の身体に沿い易くなることを確認することができた。
【０１６６】
ここで、クロッチ伸縮部２００ａの製品長手方向Ｌにおける収縮量を、８％より大きくすると、クロッチ伸縮部２００ａが、縮み過ぎてしまい、使い捨ておむつ１０の製品長手方向Ｌにおける長さが足りず、使い捨ておむつ１０を着用者の身体に付け難くなったり、使い捨ておむつ１０及び着用者の身体が、股下域２５において、過度に密着してズレ易くなったりしてしまう。
【０１６７】
一方、クロッチ伸縮部２００ａの製品長手方向Ｌにおける収縮量を、２％以下とすると、使い捨ておむつ１０を着用者の身体に近付けるというクロッチ伸縮部２００ａの効果そのものが発現し難くなってしまう。
【０１６８】
また、製品長手方向Ｌにおけるクロッチ伸縮部２００ａの中心Ｏ２は、製品長手方向Ｌにおける使い捨ておむつ１０の中心Ｏ１よりも、前胴回り域２０側に配置されている。また、クロッチ伸縮部２００ａは、製品長手方向Ｌにおける使い捨ておむつ１０の中心Ｏ１を跨ぐように配置されている。
【０１６９】
また、クロッチ伸縮部２００ａは、製品長手方向Ｌにおける使い捨ておむつ１０の中心Ｏ１を含む位置に形成される。
【０１７０】
また、後胴回り域３０の製品長手方向Ｌにおける長さ（自然状態）は、前胴回り域２０の製品長手方向Ｌにおける長さ（自然状態）よりも長くなるように構成されている。
【０１７１】
具体的には、後胴回り域３０の製品長手方向Ｌにおける長さ（自然状態）と前胴回り域２０の製品長手方向Ｌにおける長さ（自然状態）との比率は、１.１以上１.６以下となるように構成されていることが好ましく、１.２以上１.５以下となるように構成されていることがより好ましい。
【０１７２】
かかる比率が、１.６を超えると、使い捨ておむつ１０の腹側と背側のバランスが崩れ、股下域２５にクロッチ伸縮部２００ａを沿わせた場合に、前胴回り域２０が過度に密着してしまったり、後胴回り域３０が必要以上に覆われたりしてしまう。
【０１７３】
具体的には、着用者の身体は、一般的に、下腹部よりも臀部がより出っ張った状態となっているため、クロッチ伸縮部２００ａと着用者の股下部とを合わせた上で、上述の比率を上述の範囲とすることによって、複雑な着用者の身体の形状に対して使い捨ておむつ１０がより適した形状となる。
【０１７４】
つまり、寸法が足りない部分が生じることによる使い捨ておむつ１０の部分的な突っ張りや、寸法が余る部分が生じることによる使い捨ておむつ１０と身体との間の不要の隙間を防止できる。
【０１７５】
また、特に、歩行開始前或いは歩行を開始した頃に用いる乳幼児の場合、身体が腹側に向かって丸まった姿勢をとることが好ましいとされており、そのような姿勢では臀部側の皮膚が伸びた状態になり易く、上述の比率を上述の範囲とすることによって、このような姿勢を取りやすい乳幼児の身体に適した状態となる。
【０１７６】
一例を挙げると、使い捨ておむつ１０の製品長４００ｍｍ（製品長手方向Ｌにおける自然状態の長さ）に対して、前胴回り域２０が１３０ｍｍ（製品長手方向Ｌにおける自然状態の長さ）に設定され、クロッチ部２００が８０ｍｍ（製品長手方向Ｌにおける自然状態の長さ）に設定され、後胴回り域３０が１９０ｍｍ（製品長手方向Ｌにおける自然状態の長さ）に設定される。
【０１７７】
この場合、前胴回り域２０と後胴回り域３０との長さ（自然状態）の比率は、約１.４６である。このような比率とすることによって、クロッチ伸縮部２００ａのみならず、使い捨ておむつ１０の製品長手方向Ｌ全体をさらに着用者の身体に沿わせることができる。
【０１７８】
すなわち、かかる構成によれば、クロッチ伸縮部２００ａの前後方向位置が決まることで、着用者の身体に使い捨ておむつ１０が正しく適合して、使い捨ておむつ１０のデザインが連動できるようになるという本発明の狙いをより確実に実現することができる。
【０１７９】
クロッチ伸縮部２００ａが収縮した状態は、クロッチ伸縮部２００ａよりも前胴回り域２０側及び後胴回り域３０側の吸収体配置領域における非収縮状態と比べると異なった態様にあるため、着用者に使い捨ておむつ１０を着用させる場合には、クロッチ伸縮部２００ａを着用者の股下部に合わせて装着させることが容易となる。
【０１８０】
また、かかる配置によれば、クロッチ伸縮部２００ａが設けられている吸収性コア４０ａの部位が収縮した状態では、かかる部位の剛性又は厚みが、他の吸収性コア４０ａの部位の剛性又は厚みと異なるようになるため、着用補助者が、使い捨ておむつ１０の股下域２５において着用者の股下部と一致させる部位を認識し易くなる。
【０１８１】
更には、使い捨ておむつ１０の装着後には、クロッチ伸縮部２００ａは、着用者の股下部にて平坦な形状を維持し、使い捨ておむつ１０そのものが、三次元的な形状となり、使い捨ておむつ１０の股下域２５を着用者の股下部に沿わせることができるため、使い捨ておむつ１０の股下域２５と着用者の股下部とが一致して装着されることがより確実となる。
【０１８２】
さらに、図１に示すように、製品長手方向Ｌにおけるクロッチ伸縮部２００ａの中央位置Ｏ２における製品幅方向Ｗの長さＷ５（自然状態）は、製品長手方向Ｌにおけるクロッチ伸縮部２００ａの端部における製品幅方向Ｗの長さＷ６（自然状態）よりも短くなるように構成されていてもよい。
【０１８３】
かかる構成によれば、クロッチ伸縮部２００ａの外観から見た形状が、例えば女性の下着の股下部のようにくびれた形状となっているため、着用補助者は、着用者に使い捨ておむつ１０を履かせる際に、クロッチ伸縮部２００ａが着用者の股下部に配置されるように装着し、さらに装着位置が正しいことを視覚的に確認することができる。
【０１８４】
更には、着用時にも、着用補助者に対して、使い捨ておむつ１０にクロッチ部２００があることを想起させ、より下着に近いイメージを与えることが可能となる。
【０１８５】
図１に示すように、吸収体４０の股下域２５には、切欠部１１０及び切欠部１２０が形成されている。切欠部１１０及び切欠部１２０は、吸収体４０を構成する吸収性コア４０ａが存在しない領域である。
【０１８６】
本実施形態において、切欠部１１０及び切欠部１２０は、吸収性コア４０ａの目付けが他の吸収性コア４０ａの部位よりも低い低剛性部に該当する。
【０１８７】
なお、切欠部１１０及び切欠部１２０を形成する代わりに、吸収性コア４０ａの目付を他の吸収性コア４０ａの部位よりもよりも低くなるようにしてもよい。
【０１８８】
図１に示すように、切欠部１１０及び切欠部１２０は、クロッチ伸縮部２００ａの製品長手方向Ｌにおける縁部に沿って形成されている。
【０１８９】
なお、切欠部１１０及び切欠部１２０が形成されている場合であっても、前胴回り域２０及び後胴回り域３０に位置する吸収性コア４０ａと、股下域２５に位置する吸収性コア４０ａとは、完全に切り離されることなく連続していることが好ましい、特に、製品幅方向Ｗにおいて連続していることが好ましい。
【０１９０】
切欠部１１０及び切欠部１２０は、製品幅方向Ｗの外側に行くに連れて、製品長手方向Ｌにおける長さ（自然状態）が長くなるように構成されている。
【０１９１】
このような形状により、吸収性コア４０ａの製品幅方向Ｗの外側が、より縮み易くなるため、使い捨ておむつ１０に、平坦な「底部」を形成することができる。
【０１９２】
また、切欠部１１０よりも前胴回り域２０側に位置する吸収性コア４０ａ及び切欠部１２０よりも後胴回り域３０側に位置する吸収性コア４０ａは、平坦な「底部」から立ち上がり、着用者の身体（腹部及び臀部）の丸みに沿うように湾曲し易くなるため、使い捨ておむつ１０そのものの形状が着用者の体の形により近づくことができる。
【０１９３】
図１に示すように、切欠部１１０の前胴回り域２０側の縁部及び切欠部１２０よりも後胴回り域３０側の縁部は、円弧状であってもよい。
【０１９４】
具体的には、切欠部１１０の前胴回り域２０側の縁部は、円弧の中心が、かかる縁部よりも後胴回り域３０側に位置するような形状であり、切欠部１２０の後胴回り域３０側の縁部は、円弧の中心が、かかる縁部よりも前胴回り域２０側に位置するような形状である。
【０１９５】
このような形状により、使い捨ておむつ１の着用者の身体の丸みに沿った変形が、より容易かつ顕著に起き易い。
【０１９６】
切欠部１１０の製品長手方向Ｌの前胴回り域２０側の縁部は、第１変曲部１１５を構成し、切欠部１２０の製品長手方向Ｌの後前胴回り域３０側の縁部は、第２変曲部１２５を構成する。
【０１９７】
なお、第１変曲部１１５及び第２変曲部１２５は、製品幅方向Ｗに沿って延びており、使い捨ておむつ１０の曲げ基点となるように構成されている。
【０１９８】
＜デザインの配置方法＞
図２に示すように、バックシート６０ａの裏面側（非肌当接面側Ｓ）には、股下域２５を跨ぎ前胴回り域２０及び後胴回り域３０に延びる１枚のシート６１（例えば、フィルム）が備えられており、シート６１の裏面側（非肌当接面側Ｓ）には、外装シート６０が備えられている。
【０１９９】
ここで、股下域２５を跨ぎ前胴回り域２０及び後胴回り域３０に延びる領域に、使い捨ておむつ１０の非肌当接面側Ｓから視認可能なデザイン３００ａ、３００ｂが設けられている。かかるデザイン３００ａ、３００ｂは、シート６１上に設けられている。
【０２００】
ここで、図４に示すように、クロッチ伸縮部２００ａよりも前胴回り域２０側の領域Ａに設けられているデザイン３００ａの配置方法及びクロッチ伸縮部２００ａよりも後胴回り域３０側の領域Ｂに設けられているデザイン３００ｂの配置方法が異なるように構成されている。
【０２０１】
すなわち、かかるデザイン３００ａ及び３００ｂ、つまり、絵柄やキャラクター図柄や模様や文字等の配置の向きや大きさや色等によって、着用補助者に対して、上述の領域Ａが使い捨ておむつ１０の前胴回り域２０側（腹側）であることを想起させることができる一方、上述の領域Ｂが使い捨ておむつ１０の後胴回り域３０側（背側）であることを想起させることができる。
【０２０２】
例えば、図４に示すように、領域Ａと領域Ｂとの間で、同じデザイン３００ａ、３００ｂが用いられており、領域Ａに設けられているデザイン３００ａ及び領域Ｂに設けられているデザイン３００ｂは、互いに１８０°回転したものとなっていてもよい。なお、かかる回転角度は、１８０°以外の角度であってもよい。
【０２０３】
例えば、このように、デザイン（キャラクター図柄）３００ａ及び３００ｂの配置方向を変化させることによって、使い捨ておむつ１０が装着された後、着用者を腹側及び背側から見たときに、正しい方向にデザイン（キャラクター図柄）３００ａ及び３００ｂを見せることが可能となる。
【０２０４】
ここで、図４に示すように、デザイン３００ａ、３００ｂの配置方法は、クロッチ伸縮部２００ａの前胴回り域２０側の端部Ｘを境界にして異なるように構成されていてもよい。
【０２０５】
上述のように、使い捨ておむつ１０のクロッチ伸縮部２００ａの機能によって、着用者の身体の腹部・股下部・背部と使い捨ておむつ１０の前胴回り域２０・股下域２５・後胴回り域３０とがより確実に一致して装着され、着用者の身体の向きに合わせたデザインが配置され得る使い捨ておむつ１０を実現することができる。
【０２０６】
したがって、着用補助者が、かかるデザイン３００ａ及び３００ｂを目安にして、使い捨ておむつ１０を着用者に装着することで、着用者の身体の適切な位置に、使い捨ておむつ１０を装着することができるため、着用者の股下部からの漏れや着用者の股下部における装着時の違和感について改善することができる。
【０２０７】
更には、明確にクロッチ部２００が存在し、かかるクロッチ部２００に対してデザインが施される、つまり、かかるクロッチ部２００に対して前胴回り域２０側と後胴回り域３０側とで施すデザインを切り替えることで、その外観のイメージを、使い捨ておむつ１０のイメージから、下着や肌着に近いイメージへと変化させ、着用補助者に対して、より装着感に優れた印象を与えることが可能となる。
【０２０８】
また、シート６１の製品長手方向Ｌの端部Ｅ１、Ｅ２近傍では、上述のデザイン３００ａ、３００ｂが設けられていない。さらに、使い捨ておむつ１０の製品長手方向Ｌにおける端部Ｅ３、Ｅ４には、シート６１が配置されていない。
【０２０９】
同様に、シート６１の製品幅方向Ｗの端部Ｅ５、Ｅ６近傍では、上述のデザイン３００ａ、３００ｂが設けられていない。また、使い捨ておむつ１０の製品幅方向Ｗにおける端部Ｅ７、Ｅ８には、シート６１が配置されていない。
【０２１０】
すなわち、シート６１は、吸収体４０の製品長手方向Ｌにおける端部Ｅ９、Ｅ１０及び吸収体４０の製品幅方向Ｗにおける端部Ｅ１１、Ｅ１２を越え、かつ、使い捨ておむつ１０の製品長手方向Ｌにおける端部Ｅ３、Ｅ４及び使い捨ておむつ１０の製品幅方向Ｗにおける端部Ｅ７、Ｅ８に到達しないように配置されている。
【０２１１】
このように、シート６１の端部近傍に、デザイン３００ａ及び３００ｂを設けず、かつ、使い捨ておむつ１０の端部と重なる位置にシート６１を配置しないことで、シート６１に設けたデザイン３００ａ及び３００ｂが使い捨ておむつ１０の外周端部において途切れてしまうこと、及び、デザイン３００ａ及び３００ｂが設けられたシート６１と使い捨ておむつ１０を構成する他のシート（不織布）との間の境界においてデザイン３００ａ及び３００ｂが途切れてしまうことを防ぐことができる。
【０２１２】
この結果、デザイン３００ａ及び３００ｂが、シート６１の境界や使い捨ておむつ１０の端部にて途切れてしまうことは、着用補助者が、デザイン３００ａ及び３００ｂを見る場合に、デザイン３００ａ及び３００ｂの審美性を下げてしまうと共に、着用補助者に対して、使い捨ておむつ１０が切り貼りして作られている印象を与えてしまう。すなわち、デザイン３００ａ及び３００ｂを途切れることなく配置することで、着用補助者に対して、より下着に近い印象を想起させることができる。
【０２１３】
更には、吸収体４０全域をカバーしてデザイン３００ａ及び３００ｂを有するシート６１が配置されるため、排泄物による吸収体４０の変色を目立ち難くすることができ、より下着の印象を使用中も維持することができる。
【０２１４】
また、前胴回り域２０及び後胴回り域３０に対応する領域においてデザイン３００ａ及び３００ｂの占める割合と比べて、クロッチ伸縮部２００ａの存在する股下域２５に対応する領域においてデザイン３００ａ及び３００ｂの占める割合が、より少なくなるように構成されている。
【０２１５】
かかる構成によれば、より着用時に目立ちやすい前胴回り域２０及び後胴回り域３０におけるデザインの占める割合（デザイン比率）を高めることによって、前胴回り域２０及び後胴回り域３０を強調する一方、股下域２５におけるデザインの占める割合（デザイン比率）を低めることによって、股下域２５を目立ち難くすることができる。
【０２１６】
その結果、股下域２５がクロッチ伸縮部２００ａにより着用者の身体に沿っている場合に、より着用者の股下部に違和感なく収まっている印象を与えることができる。
【０２１７】
図５に示すように、本実施形態に係る使い捨ておむつ１０では、股下域２５に配置されているクロッチ伸縮部２００ａによって、平坦な「底部」を形成するように構成されているため、着用補助者に対して、前胴回り域２０と股下域２５と後胴回り域３０とが個別独立しているような印象を与える。
【０２１８】
したがって、クロッチ伸縮部２００ａの前後の領域におけるデザイン３００ａ、３００ｂの配置方法を異なるものとすることによって、図５に示すように、着用補助者は、デザイン３００ａ、３００ｂに基づいて、着用者の身体の適切な位置に、かかる使い捨ておむつ１０を装着することができる。
【０２１９】
また、本実施形態に係る使い捨ておむつ１０によれば、使い捨ておむつ１０を着用者の適切な位置に装着した際に、着用者の身体に対して、使い捨ておむつ１０の前胴回り域２０や股下域２５や後胴回り域３０等におけるデザインが違和感なく配置されることになり、より肌着らしい印象を与えることができる。
【０２２０】
＜使い捨ておむつ１０の製造方法＞
次に、本実施形態に係る使い捨ておむつ１０の製造方法の一例について説明する。なお、本実施形態において説明しない製造方法については、既存の方法を用いることができる。また、以下に説明する製造方法は、一例であり、他の製造方法によって、本実施形態に係る使い捨ておむつ１０を製造することもできる。かかる使い捨ておむつ１０の製造方法は、構成部品形成工程と、構成部品載置工程と、脚回り形成工程と、切断工程とを少なくとも含む。
【０２２１】
構成部品形成工程では、使い捨ておむつ１０を構成する構成部品を形成する。具体的には、例えば、吸収材料を積層して吸収体４０を成型する。
【０２２２】
構成部品載置工程では、バックシート６０ａを構成するウェブ上に、レッグ伸縮部７５を構成する伸縮性シートや、トップシート５０を構成するウェブ等の他のウェブや、防漏シートや、吸収体４０等の使い捨ておむつ１０を構成する構成部品を載置する。
【０２２３】
より具体的には、レッグ伸縮部７５を構成する伸縮性シートを伸長させ、更に、ＭＤ方向に変位させつつ間欠ドラム上に転写し、間欠ドラム上で個々の製品長さに伸縮性シートを切断する。
【０２２４】
間欠ドラムの回転に伴って伸縮性シート同士の間隔を設け、伸縮性シートを連続するウェブ上に転写する。このようにして、レッグ伸縮部７５を曲線状に配置することができる。
【０２２５】
脚回り形成工程は、レッグ伸縮部７５のＭＤ方向の外側端部に沿って、トップシート５０、外装シート６０及びバックシート６０ａを切断する。これにより、着用者の脚回りに配置される脚回り開口部３５が形成される。
【０２２６】
切断工程では、トップシート５０やバックシート６０ａや吸収体４０等が配置された連続体を、ＭＤ方向に沿って一製品の大きさに切断する。これにより、使い捨ておむつ１０が製造される。
【０２２７】
（本発明の第２の実施形態）
図６を参照して、本発明の第２の実施形態に係る使い捨ておむつ１０について説明する。以下、本発明の第２の実施形態に係る使い捨ておむつ１０について、上述の第２の実施形態に係る使い捨ておむつ１０との相違点に着目して説明する。
【０２２８】
本実施形態に係る使い捨ておむつ１０では、図１に示すように、股下域２５に配置されている吸収体４０の製品幅方向Ｗにおける長さＷ１（自然状態）は、前胴回り域２０及び後胴回り域３０に配置されている吸収体４０の製品幅方向Ｗにおける長さＷ２、Ｗ３（自然状態）よりも短くなるように構成されている。
【０２２９】
具体的には、クロッチ伸縮部２００ａと吸収性コア４０ａの幅（製品幅方向Ｗにおける長さ）が最も狭い部分とが重なっていることが好ましい。
【０２３０】
かかる構成によれば、吸収コア４０ａの幅が最も狭い部分及びクロッチ伸縮部２００ａが、着用者の股下部に収まり、着用者の股下部にて使い捨ておむつ１０の装着位置が決まるため、使い捨ておむつ１０を着用者の身体の適切な位置に装着することがより確実となる。
【０２３１】
また、図６に示すように、本実施形態に係る使い捨ておむつ１０に設けられているデザイン４００は、製品長手方向Ｌに延びている一対の湾曲したライン４００である。
【０２３２】
ここで、一対のライン４００同士の間隔Ｗ４は、クロッチ伸縮部２００ａにおいて最も狭くなるように構成されている。
【０２３３】
具体的には、一対のライン４００同士の間隔Ｗ４は、クロッチ伸縮部２００ａの製品長手方向Ｌにおける前胴回り域２０側の端部（第１変曲部１１５）において最も狭くなるように構成されていてもよい。
【０２３４】
本実施形態に係る使い捨ておむつ１０によれば、製品幅方向Ｗにおける一対のライン４００同士の間隔Ｗ４について、クロッチ伸縮部２００ａにおいて最も狭くなるようにし、クロッチ伸縮部２００ａを境に前胴回り域２０側及び後胴回り域３０側に向かって広くなるようにすることで、クロッチ伸縮部２００ａが着用者の股下部に配置する要素であることを、より使用者に想起させることができ、クロッチ伸縮部２００ａを着用者の股下部に合わせて装着できると同時に、着用時には、明確にクロッチ部２００が存在することを着用補助者に想起させることができる。
【０２３５】
（本発明の第３の実施形態）
図７を参照して、本発明の第３の実施形態に係る使い捨ておむつ１０について説明する。以下、本発明の第３の実施形態に係る使い捨ておむつ１０について、上述の第１及び第２の実施形態に係る使い捨ておむつ１０との相違点に着目して説明する。
【０２３６】
図７に示すように、本発明の第３の実施形態に係る使い捨ておむつ１０では、クロッチ伸縮部２００ａを跨ぎ製品長手方向Ｌに沿って延びる仮想領域５１０内の前胴回り域２０及び後胴回り域３０において、主要図柄５００ａ及び５００ｂが配置されるように構成されている。
【０２３７】
ここで、製品自然状態において、クロッチ伸縮部２００ａは、製品幅方向Ｗの中心線Ｏを跨いで左右対称であってもよいし、製品幅方向Ｗの中心線Ｏを境にして、クロッチ伸縮部２００ａの左右の幅の差が１０％以内とされていてもよい。
【０２３８】
本実施形態に係る使い捨ておむつ１０によれば、クロッチ伸縮部２００ａが、着用者の身体の中心を跨いで着用者の股下部に装着される状態とすることができる。
【０２３９】
その上で、クロッチ伸縮部２００ａから延びる仮想領域５１０内に、他のデザインよりも目を引く主要図柄（例えば、より大きな絵柄やキャラクター図柄や文字や他の部位と異なる色の絵柄やキャラクター図柄や文字・模様）５００ａ及び５００ｂを配置することで、使い捨ておむつ１０の前胴回り域２０側及び後胴回り域３０側の中心及び着用者の体の中心（前胴回り域２０は、臍付近に対応し、後胴回り域３０側は、背骨付近に対応する）に、主要図柄５００ａ及び５００ｂを合わせることを想起させることが可能となる。
【０２４０】
また、着用補助者に対して、使い捨ておむつ１０のクロッチ部２００と前胴回り域２０と後胴回り域３０とがそれぞれ明確に存在することを想起させ、より下着に近い印象を与えることが可能となる。
【０２４１】
また、図７に示すように、本発明の第３の実施形態に係る使い捨ておむつ１０において、クロッチ伸縮部２００ａを跨いで、使い捨ておむつ１０の前胴回り域２０及び後胴回り域３０に延びるライン図柄６００が配置されるように構成されていてもよい。
【０２４２】
かかるライン図柄６００は、図７に示すように、製品幅方向Ｗの中心線Ｏに概平行に複数本延びるように構成されていてもよい。
【０２４３】
かかる構成によれば、クロッチ伸縮部２００ａによって、着用者の身体の股下部や腹部や背部の位置と、使い捨ておむつ１０の製品長手方向Ｌの位置とを合わせることができることに加えて、かかるライン図柄６００によって、着用者の股下部における左右の中心位置と、使い捨ておむつ１０の製品幅方向Ｗの位置とを合わせることができる。
【０２４４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０２４５】
１０…使い捨ておむつ
２０…前胴回り域
２５…股下域
３０…後胴回り域
３５…脚回り開口部
４０…吸収体
４０ａ…吸収性コア
４０ｂ…コアラップ
５０…トップシート
６０ａ…バックシート
６０…外装シート
６１…シート
７０…サイドフラップ
７５…レッグ伸縮部
８０…レッグサイドギャザー
８１…接合部分
８２…自由端部分
９０…ファスニングテープ
９５…ターゲット部
１００…ウェスト伸縮部
１１０、１２０…切欠部
１１５…第１変曲部
１２５…第２変曲部
２００…クロッチ部
２００ａ…クロッチ伸縮部
３００ａ、３００ｂ、４００…デザイン
５００ａ、５００ｂ…主要図柄
６００…ライン図柄
【図１】
2014068936.tif 000003
【図２】
2014068936.tif 000004
【図３】
2014068936.tif 000005
【図４】
2014068936.tif 000006
【図５】
2014068936.tif 000007
【図６】
2014068936.tif 000008
【図７】
2014068936.tif 000009
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域と有し、
一対の脚回り開口部が形成されると共に、
前記股下域を跨ぎ前記前胴回り域及び前記後胴回り域に向かって延びる吸収体を備え、
前記前胴回り域から前記後胴回り域に向かう製品長手方向と、前記製品長手方向と直交する製品幅方向とを有する使い捨ておむつであって、
前記股下域において前記吸収体が配置されている領域内に形成され、伸縮可能なクロッチ伸縮部を備え、
前記股下域を跨ぎ前記前胴回り域及び前記後胴回り域に延びる領域に、前記使い捨ておむつの非肌当接面側から視認可能なデザインが設けられており、
前記前胴回り域側の領域に設けられている前記デザインの配置方法及び前記後胴回り域側の領域に設けられている前記デザインの配置方法は、前記クロッチ伸縮部の前胴回り域側の端部又は前記クロッチ伸縮部の後胴回り域側の端部を境界にして異なるように構成されていることを特徴とする使い捨ておむつ。
【請求項２】
前記吸収体の前記非肌当接面側に、外装シートが備えられており、
前記外装シートと前記吸収体との間に、前記股下域を跨ぎ前記前胴回り域及び前記後胴回り域に延びるシートが備えられており、
前記シートは、前記吸収体の製品長手方向における端部及び前記吸収体の製品幅方向における端部を越え、かつ、前記使い捨ておむつの製品長手方向における端部及び前記使い捨ておむつの製品幅方向における端部に到達しないように配置されており、
前記デザインは、前記シートの製品長手方向の端部及び前記シートの製品幅方向の端部よりも内側の領域に配置されており、
前記シートの製品長手方向における端部近傍及び前記シートの製品幅方向における端部近傍には、前記デザインが配置されていないことを特徴とする請求項１に記載の使い捨ておむつ。
【請求項３】
前記クロッチ伸縮部を跨ぎ前記製品長手方向に沿って延びる仮想領域内の前記前胴回り域及び前記後胴回り域において、前記デザインのうち主要図柄が配置されるように構成されていることを特徴とする請求項１に記載の使い捨ておむつ。
【請求項４】
前記クロッチ伸縮部は、前記製品長手方向に伸縮可能なように構成されていることを特徴とする請求項１乃至３のいずれか一項に記載の使い捨ておむつ。
【請求項５】
前記後胴回り域に形成され、前記製品幅方向に伸縮可能なウェスト伸縮部を更に備え、
前記吸収体は、前記後胴回り域において、前記吸収体の他の部位よりも目付けが低い又は吸収性コアが存在しない低剛性領域を有し、
前記ウェスト伸縮部は、前記使い捨ておむつの平面視において、前記低剛性領域の少なくとも一部と重なるように構成されており、
前記製品幅方向における前記低剛性領域の幅は、前記吸収体の前記製品長手方向における前記後胴回り域側の端部に向かうに連れて広くなるように構成されていることを特徴とする請求項１乃至４のいずれか一項に記載の使い捨ておむつ。
【請求項６】
前記クロッチ伸縮部の前記製品長手方向における収縮量は、前記使い捨ておむつの前記製品長手方向における長さの２〜８％となるように構成されていることを特徴とする請求項１乃至５のいずれか一項に記載の使い捨ておむつ。
【請求項７】
前記後胴回り部の前記製品長手方向における長さと前記前胴回り部の前記製品長手方向における長さとの比率は、１.１以上１.６以下であることを特徴とする請求項１乃至６のいずれか一項に記載の使い捨ておむつ。
【請求項８】
前記製品長手方向における前記クロッチ伸縮部の中央位置における前記製品幅方向の長さは、前記製品長手方向における前記クロッチ伸縮部の端部における前記製品幅方向の長さよりも短くなるように構成されていることを特徴とする請求項１乃至７のいずれか一項に記載の使い捨ておむつ。